(57)【要約】  光漏れによる表示品質の低下を防止することができる表示装置を提供する。液晶パネル１には、液晶パネル１の周縁に沿った枠状の遮光帯１１が設けられている。遮光帯１１によりバックライト装置２からの光が遮断される遮光領域が形成されている。液晶パネル１及びパネルシャーシ３の間には、パネルシャーシ３の四辺に沿った枠形シート状の遮光体５が配されている。液晶パネル１の他面において、遮光体５は、遮光帯１１に重なっている。即ち、遮光体５は、液晶パネル１の他面を遮光帯１１の外側部分を含めて覆っている。
2017002220.tif 000002
【特許請求の範囲】
【請求項１】
周縁に沿って形成された枠状の遮光領域を有し、該遮光領域の内側に画像を表示する表示パネルと、
該表示パネルの周縁部を一側から支持する支持枠と、
前記表示パネル及び支持枠の間に配され、前記表示パネルの支持面を前記遮光領域の外側部分を含めて覆う遮光体と
を備えることを特徴とする表示装置。
【請求項２】
前記支持枠は、
前記表示パネルの反対側に延びる延長部を有し、
前記遮光体は、
外周縁から前記表示パネルの反対側に延び、前記延長部に固定された固定部を有する
ことを特徴とする請求項１に記載の表示装置。
【請求項３】
前記固定部は、周方向に所定間隔で複数設けられている
ことを特徴とする請求項２に記載の表示装置。
【請求項４】
前記固定部は、前記延長部に接着されていることを特徴とする請求項２又は請求項３に記載の表示装置。
【請求項５】
前記固定部には、係止孔が設けられており、
前記延長部には、前記係止孔に係合する係止爪が設けられている
ことを特徴とする請求項２又は請求項３に記載の表示装置。
【請求項６】
前記遮光体は、黒色であることを特徴とする請求項１から請求項５までのいずれか一つに記載の表示装置。
【発明の詳細な説明】
【技術分野】
【０００１】
本発明は、画像を表示する表示装置に関する。
【背景技術】
【０００２】
液晶パネルを画像表示部として備える表示装置は、液晶パネルと、該液晶パネルの一側に配されたバックライト装置とを有している。表示装置は、バックライト装置から出射された光を液晶パネルにより変調して透過することにより、画像を表示する。【０００３】
液晶パネルは、周縁に沿って形成された枠状の遮光領域と、該遮光領域の内側に画像を表示する表示領域とを有する。遮光領域は、液晶パネルの内部に設けられた遮光帯により形成されている。遮光帯は、バックライト装置から液晶パネルに照射された光を遮断する。これにより、いわゆる光漏れにより、表示領域の周囲が表示領域よりも明るく光ることが防止される。バックライト装置は、直下型とエッジライト型とに大別されるがいずれの形式においても、開口を有する浅底の箱体であるバックライトシャーシと、該バックライトシャーシ内に配された光源とを有する。【０００４】
また、表示装置は、液晶パネルの周縁部を一側から支持する枠状のパネルシャーシを備える。パネルシャーシは、反射によりバックライト装置からの光の利用効率を高めるため、白色が用いられる。パネルシャーシには、内周縁から全周に亘って内向きに突出する薄肉の突出部が設けられている。突出部の液晶パネル側の一面には、光学シートが配されている。光学シートは、液晶パネルに対向し、周縁部を突出部に支持されている。光学シートは、バックライト装置からの光の集束、拡散等を行う。【０００５】
更に、表示装置は、液晶パネルの他側に配された枠状のベゼルを有し、ベゼルは、パネルシャーシとにより液晶パネルの周縁部を挟持している。ベゼルは、液晶パネルの他側にて、遮光領域に重なるように配されている。これにより、バックライト装置からの光が、液晶パネルにおける遮光帯よりも外側部分を通過して液晶パネルの他側から漏れ出すことが防止されている。【０００６】
一方で、表示装置は、表示領域を拡大するため、いわゆる狭額縁化が行われている（例えば、特許文献１参照）。
【先行技術文献】
【特許文献】
【０００７】
【特許文献１】特開２００２−４０３９４号公報
【発明の概要】
【発明が解決しようとする課題】
【０００８】
しかしながら、液晶パネルの狭額縁化を図ることにより、ベゼルが遮光帯に重なる領域が少なくなる場合がある。この場合、直下型のバックライト装置においては、バックライト装置からの光の一部が光学シートの内部で導光され、光学シートの端面から漏れる。光学シートから漏れた光が、パネルシャーシにて反射され、遮光帯の外側部分から液晶パネルに入射し、導光され、ベゼルに遮断されずに液晶パネルから出射し、光漏れが生じる虞がある。また、エッジライト型のバックライトにおいては、パネルシャーシが光源の直上に位置することになり、光がパネルシャーシを透過し、遮光帯の外側部分から液晶パネルに入射し、光漏れが生じる虞がある。表示装置において、光漏れが生じた場合、表示品質が低下する。【０００９】
本発明は、斯かる事情に鑑みてなされたものであり、その目的とするところは、光漏れによる表示品質の低下を防止することができる表示装置を提供することにある。
【課題を解決するための手段】
【００１０】
本発明に係る表示装置は、周縁に沿って形成された枠状の遮光領域を有し、該遮光領域の内側に画像を表示する表示パネルと、該表示パネルの周縁部を一側から支持する支持枠と、前記表示パネル及び支持枠の間に配され、前記表示パネルの支持面を前記遮光領域の外側部分を含めて覆う遮光体とを備えることを特徴とする。【００１１】
本発明によれば、遮光体が表示パネルの支持面を前記遮光領域の外側部分を含めて覆うので、遮光領域の外側部分にて光が遮断される。したがって、バックライト装置からの光を液晶パネルに照射した場合に、光漏れが生じず、表示装置の表示品質が保たれる。また、遮光体を、弾性部材で形成することにより、表示パネルを振動又は衝撃等から守るスペーサとして機能させることができる。【００１２】
本発明に係る表示装置は、前記支持枠は、前記表示パネルの反対側に延びる延長部を有し、前記遮光体は、外周縁から前記表示パネルの反対側に延び、前記延長部に固定された固定部を有することを特徴とする。【００１３】
本発明によれば、前記遮光体は、固定部が支持枠の延長部に固定されている。これにより、遮光体が温度変化に伴う収縮膨張の影響で移動することにより遮光領域より内側にはみ出すことを抑制できる。【００１４】
本発明に係る表示装置は、前記固定部は、周方向に所定間隔で複数設けられていることを特徴とする。【００１５】
本発明によれば、表示パネルからＳＯＦ（system on film）等の部品が突出している場合に、該部品と固定部との重なりを防止することができる。これにより、表示装置の狭額縁化が担保される。【００１６】
本発明に係る表示装置は、前記固定部は、前記延長部に接着されていることを特徴とする。【００１７】
本発明によれば、遮光体を接着剤又は両面テープ等の部材による接着で容易に固定することができる。【００１８】
本発明に係る表示装置は、前記固定部には、係止孔が設けられており、前記延長部には、前記係止孔に係合する係止爪が設けられていることを特徴とする。【００１９】
本発明によれば、接着剤又は両面テープ等の部材を用いることなく、遮光体を支持枠に固定することができる、したがって、前記部材と遮光体との熱膨張差による遮光体のしわの影響がなく、表示領域へのはみ出しをより抑制できる。【００２０】
本発明に係る表示装置は、前記遮光体は、黒色であることを特徴とする。【００２１】
本発明によれば、他の色を用いるよりも効果的に遮光を行うことができる。
【発明の効果】
【００２２】
本発明によれば、光漏れによる表示品質の低下を防止することができる。
【図面の簡単な説明】
【００２３】
【図１】実施の形態１に係る表示装置の要部の構成を示す断面図である。
【図２】液晶パネルの表示領域を示す平面図である。
【図３】遮光体の固定部の配置を示す模式図である。
【図４】実施の形態２に係る表示装置における要部の構成を示す模式図である。
【図５】実施の形態３に係る表示装置の要部の構成を示す断面図である。
【発明を実施するための形態】
【００２４】
（実施の形態１）
以下、本発明をその実施の形態を示す図面に基づいて詳述する。図１は、実施の形態１に係る表示装置の要部の構成を示す断面図である。図１に示す表示装置は、一面に画像を表示する矩形の液晶パネル１と、該液晶パネル１の他面側に配された直下型のバックライト装置２とを備える。
【００２５】
バックライト装置２は、バックライトシャーシ２０と、複数枚の基板２１，２１，・・・と、複数のＬＥＤ２２，２２，・・・とを有する。なお、図１においては、単一の基板２１及び単一のＬＥＤ２２を図示している。バックライトシャーシ２０は、矩形の底板２０ａと、該底板２０ａの四辺の夫々から立ち上がる側板２０ｂとを有し、底板２０ａとの対向側の全面に開口が設けられた浅底の箱体である。側板２０ｂの開口縁には、外向きに張り出すフランジ部２０ｃが設けられている。各基板２１は、底板２０ａ上に配されており、各ＬＥＤ２２は、開口に面して各基板２１の一面に実装されている。
【００２６】
バックライトシャーシ２０には、内側を覆う反射シート２３が配されている。反射シート２３は、矩形の基部、該基部の四辺から立ち上がる側部、及び該側部から外側に向けて前記基部と平行に張り出すフランジ部を有する。反射シート２３の基部には各ＬＥＤ２２に対応する位置に孔が設けられている。反射シート２３の基部は、バックライトシャーシ２０の底板２０ａに載置され、各ＬＥＤ２２は、基部の夫々の孔からバックライトシャーシ２０の開口側に露出している。反射シート２３のフランジ部は、バックライトシャーシ２０のフランジ部２０ｃに重ねられている。反射シート２３の基部及び側部は、バックライトシャーシ２０の内側において底板２０ａ及び側板２０ｂを覆っている。
【００２７】
バックライトシャーシ２０のフランジ部２０ｃには、拡散板２４が反射シート２３に重ねて配されている。拡散板２４はバックライトシャーシ２０の開口を全面で覆うように配され、拡散板２４の周縁部はフランジ部２０ｃに支持されている。
【００２８】
また、フランジ部２０ｃには、液晶パネル１を他面側から支持するパネルシャーシ３が配されている。即ち、パネルシャーシ３は、液晶パネル１を一側から支持している。パネルシャーシ３は、白色の樹脂製であり、枠状をなしている。パネルシャーシ３は、外周縁から液晶パネルの反対側に延びる枠状の延長部３０を有する。また、パネルシャーシ３には、内周縁から内向きに突出する薄肉の突出部３１が全周に設けられている。突出部３１は、スペーサを介して反射シート２３及び拡散板２４をフランジ部２０ｃとにより挟持している。また、突出部３１における液晶パネル１側の一面には光学シート４が配されている。
【００２９】
液晶パネル１及びパネルシャーシ３の間には、パネルシャーシ３の四辺に沿った枠形シート状の遮光体５が配されている。遮光体５は、黒色であり、ＰＥＴ（Polyethylene terephthalate）等の樹脂製である。遮光体５は、外周縁から、液晶パネル１の反対側に延び、延長部３０に固定された固定部５０とを有する。固定部５０は、両面テープによりパネルシャーシ３の延長部３０の外側に接着されている。両面テープを用いることにより、遮光体５を容易に取り付けることができる。液晶パネル１は、遮光体５を介してパネルシャーシ３に配されている。
【００３０】
ベゼル６は、矩形枠形をなし、外周縁から垂直に立ち上がる側板部６０を有する。ベゼル６は、液晶パネル１を、スペーサを介してパネルシャーシ３とにより挟持している。側板部６０は、パネルシャーシ３の延長部３０に沿っている。
【００３１】
図２は、液晶パネル１の表示領域を示す平面図である。液晶パネル１０には、周縁から所定間隔を隔てて、表示領域１０と、該表示領域１０を囲い、液晶パネル１の周縁に沿った枠状の遮光帯１１とが設けられている。遮光帯１１によりバックライト装置２からの光が遮断される遮光領域が形成されている。なお、遮光帯１１は、ブラックマトリックスの一部であってもよい。また、図１に示すように、液晶パネル１の他面において、遮光体５は、遮光帯１１に重なっている。即ち、遮光体５は、液晶パネル１の他面を遮光帯１１の外側部分を含めて覆っている。
【００３２】
図３は、遮光体５の固定部５０の配置を示す模式図である。液晶パネル１の側面から、所定の間隔ごとに複数のＳＯＦ１２が突出している。ＳＯＦ１２は、表示画素及びスイッチング素子を駆動するドライバを有する。遮光体５の固定部５０は、ＳＯＦ１２との重なりを避けて所定の間隔ごとに設けられており、パネルシャーシ３の延長部３０に両面テープにより接着されている。
【００３３】
以上の如く構成された表示装置においては、各ＬＥＤ２２から出射した光が、拡散板２４及び光学シート４によって拡散及び集束され、液晶パネル１の他面に照射される。液晶パネル１は、前記光を変調することにより、一面に画像を表示する。
【００３４】
ここで、光学シート４に入射した光が、光学シート４の端面から漏れ、パネルシャーシ３にて反射し、液晶パネル１に進行する場合がある。該場合において、光が液晶パネル１の遮光帯１１よりも外側部分に進行したときであっても、遮光体５により遮光される。
【００３５】
上記の構成によれば、遮光体５が液晶パネル１の他面を遮光帯１１よりも外側部分を含めて覆うので、遮光帯１１の外側部分にて光が液晶パネル１を透過せず、表示装置における光漏れを抑制できる。これにより、表示装置の表示品質が保たれる。
【００３６】
また、遮光体５の固定部５０は、ＳＯＦ１２を避けて所定の間隔ごとに設けられているので、表示装置の狭額縁化が担保される。遮光体５は、黒色であるので他の色を用いるよりも効果的に遮光を行うことができる。
【００３７】
更に、遮光体５を、弾性部材で形成することにより、液晶パネル１を振動又は衝撃等から守るスペーサとして機能させることができる。また、遮光体５は、固定部５０がパネルシャーシ３の延長部３０に接着されている。これにより、温度変化に伴う収縮膨張の影響により移動することにより表示領域１０にはみ出すことを抑制できる。
【００３８】
（実施の形態２）
実施の形態２の表示装置は、遮光体５の固定構造が異なる。図４は、実施の形態２に係る表示装置における要部の構成を示す模式図である。図４は、実施の形態１の図３に相当する。実施の形態２に係る表示装置の構成について、実施の形態１と同様な構成については、同一の符号を付してその詳細な説明を省略する。
【００３９】
実施の形態２においては、遮光体５の固定部５０に係止孔５０ａが設けられている。また、パネルシャーシ３の延長部３０には、フック状の係止爪３２が設けられている。遮光体５の係止爪３２は、固定部５０の係止孔５０ａに挿通され、係合している。これにより、遮光体５はパネルシャーシ３に係止され、遮光体５をパネルシャーシ３に対して容易に位置決めし、固定することができる。
【００４０】
また、接着剤又は両面テープ等の部材を用いることなく、遮光体５をパネルシャーシ３に固定することができる。したがって、前記部材及び遮光体５の熱膨張差による遮光体５のしわの影響がなく、表示領域１０へのはみ出しをより抑制できる。
【００４１】
（実施の形態３）
実施の形態３の表示装置はエッジライト型のバックライト装置を備える。図５は、実施の形態３に係る表示装置の要部の構成を示す断面図である。実施の形態３に係る表示装置の構成について、実施の形態１と同様な構成については、同一の符号を付してその詳細な説明を省略する。
【００４２】
実施の形態３に係る表示装置は、実施の形態１と同様に、液晶パネル１と、光学シート４と、遮光体５と、ベゼル６とを備える。表示装置は、更に、液晶パネル１の他面側に配されたエッジライト型のバックライト装置７と、白色樹脂製のパネルシャーシ８とを備える。
【００４３】
バックライト装置７は、バックライトシャーシ７０と、導光板７１と、ＬＥＤ７２，７２，・・・とを備える。バックライトシャーシ７０は、矩形の底板と、該底板の四辺から垂直に立ち上がる側板とを有し、一面が開口した浅底箱形をなす。
【００４４】
導光板７１は、ガラス又は透光性を有する樹脂材料製の矩形の平板であり、反射シート７３を介してバックライトシャーシ７０の底板上に載置されている。また、導光板７１の一面は、バックライトシャーシ７０の開口に対面している。
【００４５】
各ＬＥＤ７２は、バックライトシャーシ７０の側板に取り付けられた基板７４に実装されている。ＬＥＤ７２は、導光板７１の一側面に対向している。なお、図５においては、単一のＬＥＤを図示している。
【００４６】
パネルシャーシ８は、矩形枠状をなし、外周縁から液晶パネル１の反対側に延びる延長部８０を有する。パネルシャーシ８は、延長部８０をバックライトシャーシ７０の側板の外側に被せてある。また、パネルシャーシ８は、液晶パネル１を他面側から支持している。パネルシャーシ８は、スペーサを介してバックライトシャーシ７０の底板とにより導光板７１の周縁部を挟持している。また、パネルシャーシ８の内周縁には内向きに突出する薄肉の突出部８１が全周に設けられている。
【００４７】
液晶パネル１及びパネルシャーシ８の間には枠状の遮光体５が配されている。遮光体５は、液晶パネル１の他面の周縁部を覆っている。また、図５に示すように、液晶パネル１の他面において、遮光体５は、遮光帯１１に重なっている。即ち、遮光体５は、液晶パネル１の他面を遮光帯１１の外側部分を含めて覆っている。遮光体５の固定部５０は、パネルシャーシ８の延長部８０に両面テープにより接着されている。
【００４８】
なお、遮光体５の固定部５０に係止孔を設け、パネルシャーシ８の延長部８０に係止孔に挿通する係止爪を設けて、該係止爪を係止孔に挿通させ、係合させることにより、遮光体５をパネルシャーシ８に固定してもよい。
【００４９】
ベゼル６は、パネルシャーシ８とにより液晶パネル１の周縁部を挟持し、側板部６０をパネルシャーシ８の延長部８０の外側に被せてある。また、パネルシャーシ８の突出部８１の液晶パネル１側の一面には光学シート４が配されている。
【００５０】
以上の如く構成された表示装置において各ＬＥＤ７２から出射された光は、導光板７１の一側面から入射し、反射シート７３での全反射と導光板７１の他面での部分反射とを繰り返して導光板７１内部を進行し、一面全体に分布して出射する。導光板７１から出射した光は、光学シート４によって拡散及び集束され、液晶パネル１の他面に照射される。液晶パネル１は、入射光を変調して透過し、一面に画像を表示する。
【００５１】
ここで、各ＬＥＤ７２の出射光の一部が、パネルシャーシ８を透過して液晶パネル１に進行する場合がある。液晶パネル１の他面の周縁部は、遮光体５で覆われており、光は、遮光体５又は遮光帯１１により遮断される。
【００５２】
上記の構成によれば、遮光体５が液晶パネル１の他面の遮光帯１１よりも外側部分を含めて覆うので、遮光帯１１の外側部分にてバックライト装置７からの光が透過せず、表示装置における光漏れを抑制できる。これにより、表示装置の表示品質が保たれる。
【００５３】
更に、遮光体５は、パネルシャーシ８の延長部８０に固定されているので、温度変化に伴う収縮膨張の影響により遮光体５が移動し、液晶パネル１の表示領域にはみ出すことを抑制できる。また、遮光体５を、弾性部材で形成することにより、液晶パネル１を振動又は衝撃等から守るスペーサとして機能させることができる。
【００５４】
今回開示された実施の形態はすべての点で例示であって、制限的なものではないと考えられるべきである。本発明の範囲は、上記した意味ではなく、請求の範囲によって示され、請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００５５】
１  液晶パネル（表示パネル）
３、８  パネルシャーシ（支持枠）
５  遮光体
３０、８０  延長部
３２  係止爪
５０  固定部
５０ａ  係止孔
【図１】
2017002220.tif 000003
【図２】
2017002220.tif 000004
【図３】
2017002220.tif 000005
【図４】
2017002220.tif 000006
【図５】
2017002220.tif 000007
【手続補正書】
【提出日】平成29年12月27日(2017.12.27)
【手続補正１】
【補正対象書類名】明細書
【補正対象項目名】全文
【補正方法】変更
【補正の内容】
【発明の詳細な説明】
【技術分野】
【０００１】
本発明は、画像を表示する表示装置に関する。
【背景技術】
【０００２】
液晶パネルを画像表示部として備える表示装置は、液晶パネルと、該液晶パネルの一側に配されたバックライト装置とを有している。表示装置は、バックライト装置から出射された光を液晶パネルにより変調して透過することにより、画像を表示する。
【０００３】
液晶パネルは、周縁に沿って形成された枠状の遮光領域と、該遮光領域の内側に画像を表示する表示領域とを有する。遮光領域は、液晶パネルの内部に設けられた遮光帯により形成されている。遮光帯は、バックライト装置から液晶パネルに照射された光を遮断する。これにより、いわゆる光漏れにより、表示領域の周囲が表示領域よりも明るく光ることが防止される。バックライト装置は、直下型とエッジライト型とに大別されるがいずれの形式においても、開口を有する浅底の箱体であるバックライトシャーシと、該バックライトシャーシ内に配された光源とを有する。
【０００４】
また、表示装置は、液晶パネルの周縁部を一側から支持する枠状のパネルシャーシを備える。パネルシャーシは、反射によりバックライト装置からの光の利用効率を高めるため、白色が用いられる。パネルシャーシには、内周縁から全周に亘って内向きに突出する薄肉の突出部が設けられている。突出部の液晶パネル側の一面には、光学シートが配されている。光学シートは、液晶パネルに対向し、周縁部を突出部に支持されている。光学シートは、バックライト装置からの光の集束、拡散等を行う。
【０００５】
更に、表示装置は、液晶パネルの他側に配された枠状のベゼルを有する。ベゼルとパネルシャーシとは、液晶パネルの周縁部を挟持している。ベゼルは、液晶パネルの他側にて、遮光領域に重なるように配されている。これにより、バックライト装置からの光が、液晶パネルにおける遮光帯よりも外側に位置する外側部分を通過して液晶パネルの他側から漏れ出すことが防止されている。
【０００６】
一方で、表示装置は、表示領域を拡大するため、いわゆる狭額縁化が行われている（例えば、特許文献１参照）。
【先行技術文献】
【特許文献】
【０００７】
【特許文献１】特開２００２−４０３９４号公報
【発明の概要】
【発明が解決しようとする課題】
【０００８】
しかしながら、液晶パネルの狭額縁化を図ることにより、ベゼルが遮光帯に重なる領域が少なくなる場合がある。この場合、直下型のバックライト装置においては、バックライト装置からの光の一部が光学シートの内部で導光され、光学シートの端面から漏れる。光学シートから漏れた光が、パネルシャーシにて反射され、遮光帯の外側部分から液晶パネルに入射し、導光され、ベゼルに遮断されずに液晶パネルから出射し、光漏れが生じる虞がある。また、エッジライト型のバックライトにおいては、パネルシャーシが光源の直上に位置することになり、光がパネルシャーシを透過し、遮光帯の外側部分から液晶パネルに入射し、光漏れが生じる虞がある。表示装置において、光漏れが生じた場合、表示品質が低下する。
【０００９】
本発明は、斯かる事情に鑑みてなされたものであり、その目的とするところは、光漏れによる表示品質の低下を防止することができる表示装置を提供することにある。
【課題を解決するための手段】
【００１０】
本発明に係る表示装置は、周縁に沿って形成された枠状の遮光領域を有し、該遮光領域の内側に画像を表示する表示パネルと、該表示パネルの周縁部を一側から支持する支持枠と、前記表示パネル及び支持枠の間に配され、前記表示パネルの支持面を前記遮光領域の外側部分を含めて覆う遮光体とを備えることを特徴とする。
【００１１】
本発明によれば、遮光体が表示パネルの支持面を前記遮光領域の外側部分を含めて覆うので、遮光領域の外側部分にて光が遮断される。したがって、バックライト装置からの光を液晶パネルに照射した場合に、光漏れが生じず、表示装置の表示品質が保たれる。また、遮光体を、弾性部材で形成することにより、表示パネルを振動又は衝撃等から守るスペーサとして機能させることができる。
【００１２】
本発明に係る表示装置は、前記支持枠は、前記表示パネルと反対側に延びる延長部を有し、前記遮光体は、外周縁から前記表示パネルと反対側に延び、前記延長部に固定された固定部を有することを特徴とする。
【００１３】
本発明によれば、前記遮光体は、固定部が支持枠の延長部に固定されている。これにより、遮光体が温度変化に伴う収縮膨張の影響で移動することにより遮光領域より内側にはみ出すことを抑制できる。
【００１４】
本発明に係る表示装置は、前記固定部は、周方向に所定間隔で複数設けられていることを特徴とする。
【００１５】
本発明によれば、表示パネルからＳＯＦ（system on film）等の部品が突出している場合に、該部品と固定部との重なりを防止することができる。これにより、表示装置の狭額縁化が担保される。
【００１６】
本発明に係る表示装置は、前記固定部は、前記延長部に接着されていることを特徴とする。
【００１７】
本発明によれば、遮光体を接着剤又は両面テープ等の部材による接着で容易に固定することができる。
【００１８】
本発明に係る表示装置は、前記固定部には、係止孔が設けられており、前記延長部には、前記係止孔に係合する係止爪が設けられていることを特徴とする。
【００１９】
本発明によれば、接着剤又は両面テープ等の部材を用いることなく、遮光体を支持枠に固定することができる、したがって、前記部材と遮光体との熱膨張差による遮光体のしわの影響がなく、遮光体の表示領域へのはみ出しをより抑制できる。
【００２０】
本発明に係る表示装置は、前記遮光体は、黒色であることを特徴とする。
【００２１】
本発明によれば、他の色を用いるよりも効果的に遮光を行うことができる。
【発明の効果】
【００２２】
本発明によれば、光漏れによる表示品質の低下を防止することができる。
【図面の簡単な説明】
【００２３】
【図１】実施の形態１に係る表示装置の要部の構成を示す断面図である。
【図２】液晶パネルの表示領域を示す平面図である。
【図３】遮光体の固定部の配置を示す模式図である。
【図４】実施の形態２に係る表示装置における要部の構成を示す模式図である。
【図５】実施の形態３に係る表示装置の要部の構成を示す断面図である。
【発明を実施するための形態】
【００２４】
（実施の形態１）
以下、本発明をその実施の形態を示す図面に基づいて詳述する。図１は、実施の形態１に係る表示装置の要部の構成を示す断面図である。図１に示す表示装置は、一面に画像を表示する矩形の液晶パネル１と、該液晶パネル１の他面側に配された直下型のバックライト装置２とを備える。
【００２５】
バックライト装置２は、バックライトシャーシ２０と、複数枚の基板２１，２１，・・・と、複数のＬＥＤ２２，２２，・・・とを有する。なお、図１においては、単一の基板２１及び単一のＬＥＤ２２を図示している。バックライトシャーシ２０は、矩形の底板２０ａと、該底板２０ａの四辺の夫々から立ち上がる側板２０ｂとを有し、底板２０ａとの対向側の全面に開口が設けられた浅底の箱体である。側板２０ｂの開口縁には、外向きに張り出すフランジ部２０ｃが設けられている。各基板２１は、底板２０ａ上に配されており、各ＬＥＤ２２は、開口に面して各基板２１の一面に実装されている。
【００２６】
バックライトシャーシ２０には、内側を覆う反射シート２３が配されている。反射シート２３は、矩形の基部、該基部の四辺から立ち上がる側部、及び該側部から外側に向けて前記基部と平行に張り出すフランジ部を有する。反射シート２３の基部には各ＬＥＤ２２に対応する位置に孔が設けられている。反射シート２３の基部は、バックライトシャーシ２０の底板２０ａに載置され、各ＬＥＤ２２は、基部の夫々の孔からバックライトシャーシ２０の開口側に露出している。反射シート２３のフランジ部は、バックライトシャーシ２０のフランジ部２０ｃに重ねられている。反射シート２３の基部及び側部は、バックライトシャーシ２０の内側において底板２０ａ及び側板２０ｂを覆っている。
【００２７】
バックライトシャーシ２０のフランジ部２０ｃには、拡散板２４が反射シート２３に重ねて配されている。拡散板２４はバックライトシャーシ２０の開口を全面で覆うように配され、拡散板２４の周縁部はフランジ部２０ｃに支持されている。
【００２８】
また、フランジ部２０ｃには、液晶パネル１を他面側から支持するパネルシャーシ３が配されている。即ち、パネルシャーシ３は、液晶パネル１を一側から支持している。パネルシャーシ３は、白色の樹脂製であり、枠状をなしている。パネルシャーシ３は、外周縁から液晶パネルと反対側に延びる枠状の延長部３０を有する。また、パネルシャーシ３には、内周縁から内向きに突出する薄肉の突出部３１が全周に設けられている。突出部３１とフランジ部２０ｃとは、スペーサを介して、反射シート２３及び拡散板２４を挟持している。また、突出部３１における液晶パネル１側の一面には光学シート４が配されている。
【００２９】
液晶パネル１及びパネルシャーシ３の間には、パネルシャーシ３の四辺に沿った枠形シート状の遮光体５が配されている。遮光体５は、黒色であり、ＰＥＴ（Polyethylene terephthalate）等の樹脂製である。遮光体５は、外周縁から、液晶パネル１と反対側に延び、延長部３０に固定された固定部５０を有する。固定部５０は、両面テープによりパネルシャーシ３の延長部３０の外側に接着されている。両面テープを用いることにより、遮光体５を容易に取り付けることができる。液晶パネル１は、遮光体５を介してパネルシャーシ３に配されている。
【００３０】
ベゼル６は、矩形枠形をなし、外周縁から垂直に立ち上がる側板部６０を有する。ベゼル６とパネルシャーシ３とは、液晶パネル１を、スペーサを介して挟持している。側板部６０は、パネルシャーシ３の延長部３０に沿っている。
【００３１】
図２は、液晶パネル１の表示領域を示す平面図である。液晶パネル１には、周縁から所定間隔を隔てて、表示領域１０と、該表示領域１０を囲い、液晶パネル１の周縁に沿った枠状の遮光帯１１とが設けられている。遮光帯１１によりバックライト装置２からの光が遮断される遮光領域が形成されている。なお、遮光帯１１は、ブラックマトリックスの一部であってもよい。また、図１に示すように、液晶パネル１の他面において、遮光体５は、遮光帯１１に重なっている。即ち、遮光体５は、液晶パネル１の他面を遮光帯１１の外側部分を含めて覆っている。
【００３２】
図３は、遮光体５の固定部５０の配置を示す模式図である。液晶パネル１の側面から、所定の間隔ごとに複数のＳＯＦ１２が突出している。ＳＯＦ１２は、表示画素及びスイッチング素子を駆動するドライバを有する。遮光体５の固定部５０は、ＳＯＦ１２との重なりを避けて所定の間隔ごとに設けられており、パネルシャーシ３の延長部３０に両面テープにより接着されている。
【００３３】
以上の如く構成された表示装置においては、各ＬＥＤ２２から出射した光が、拡散板２４及び光学シート４によって拡散及び集束され、液晶パネル１の他面に照射される。液晶パネル１は、前記光を変調することにより、一面に画像を表示する。
【００３４】
ここで、光学シート４に入射した光が、光学シート４の端面から漏れ、パネルシャーシ３にて反射し、液晶パネル１に向かって進行する場合がある。該場合において、光が液晶パネル１の遮光帯１１よりも外側に位置する部分に向かって進行したときであっても、遮光体５により遮光される。
【００３５】
上記の構成によれば、遮光体５が液晶パネル１の他面を遮光帯１１よりも外側に位置する部分を含めて覆うので、遮光帯１１の外側部分にて光が液晶パネル１を透過せず、表示装置における光漏れを抑制できる。これにより、表示装置の表示品質が保たれる。
【００３６】
また、遮光体５の固定部５０は、ＳＯＦ１２を避けて所定の間隔ごとに設けられているので、表示装置の狭額縁化が担保される。遮光体５は、黒色であるので他の色を用いるよりも効果的に遮光を行うことができる。
【００３７】
更に、遮光体５を、弾性部材で形成することにより、液晶パネル１を振動又は衝撃等から守るスペーサとして機能させることができる。また、遮光体５の固定部５０がパネルシャーシ３の延長部３０に接着されている。これにより、遮光体５が、温度変化に伴う収縮膨張の影響により移動することにより表示領域１０にはみ出すことを抑制できる。
【００３８】
（実施の形態２）
実施の形態２の表示装置は、遮光体５の固定構造が異なる。図４は、実施の形態２に係る表示装置における要部の構成を示す模式図である。図４は、実施の形態１の図３に相当する。実施の形態２に係る表示装置の構成について、実施の形態１と同様な構成については、同一の符号を付してその詳細な説明を省略する。
【００３９】
実施の形態２においては、遮光体５の固定部５０に係止孔５０ａが設けられている。また、パネルシャーシ３の延長部３０には、フック状の係止爪３２が設けられている。延長部３０の係止爪３２は、固定部５０の係止孔５０ａに挿通され、係合している。これにより、遮光体５はパネルシャーシ３に係止され、遮光体５をパネルシャーシ３に対して容易に位置決めし、固定することができる。
【００４０】
また、接着剤又は両面テープ等の部材を用いることなく、遮光体５をパネルシャーシ３に固定することができる。したがって、前記部材及び遮光体５の熱膨張差による遮光体５のしわの影響がなく、遮光体５の表示領域１０へのはみ出しをより抑制できる。
【００４１】
（実施の形態３）
実施の形態３の表示装置はエッジライト型のバックライト装置を備える。図５は、実施の形態３に係る表示装置の要部の構成を示す断面図である。実施の形態３に係る表示装置の構成について、実施の形態１と同様な構成については、同一の符号を付してその詳細な説明を省略する。
【００４２】
実施の形態３に係る表示装置は、実施の形態１と同様に、液晶パネル１と、光学シート４と、遮光体５と、ベゼル６とを備える。表示装置は、更に、液晶パネル１の他面側に配されたエッジライト型のバックライト装置７と、白色樹脂製のパネルシャーシ８とを備える。
【００４３】
バックライト装置７は、バックライトシャーシ７０と、導光板７１と、ＬＥＤ７２，７２，・・・とを備える。バックライトシャーシ７０は、矩形の底板と、該底板の四辺から垂直に立ち上がる側板とを有し、一面が開口した浅底箱形をなす。
【００４４】
導光板７１は、ガラス又は透光性を有する樹脂材料製の矩形の平板であり、反射シート７３を介してバックライトシャーシ７０の底板上に載置されている。また、導光板７１の一面は、バックライトシャーシ７０の開口に対面している。
【００４５】
各ＬＥＤ７２は、バックライトシャーシ７０の側板に取り付けられた基板７４に実装されている。ＬＥＤ７２は、導光板７１の一側面に対向している。なお、図５においては、単一のＬＥＤを図示している。
【００４６】
パネルシャーシ８は、矩形枠状をなし、外周縁から液晶パネル１と反対側に延びる延長部８０を有する。パネルシャーシ８は、延長部８０をバックライトシャーシ７０の側板の外側に被せてある。また、パネルシャーシ８は、液晶パネル１を他面側から支持している。パネルシャーシ８とバックライトシャーシ７０の底板とは、スペーサを介して導光板７１の周縁部を挟持している。また、パネルシャーシ８の内周縁には内向きに突出する薄肉の突出部８１が全周に設けられている。
【００４７】
液晶パネル１及びパネルシャーシ８の間には枠状の遮光体５が配されている。遮光体５は、液晶パネル１の他面の周縁部を覆っている。また、図５に示すように、液晶パネル１の他面において、遮光体５は、遮光帯１１に重なっている。即ち、遮光体５は、液晶パネル１の他面を遮光帯１１の外側部分を含めて覆っている。遮光体５の固定部５０は、パネルシャーシ８の延長部８０に両面テープにより接着されている。
【００４８】
なお、遮光体５の固定部５０に係止孔を設け、パネルシャーシ８の延長部８０に係止孔に挿通する係止爪を設けて、該係止爪を係止孔に挿通させ、係合させることにより、遮光体５をパネルシャーシ８に固定してもよい。
【００４９】
ベゼル６とパネルシャーシ８とは、液晶パネル１の周縁部を挟持している。ベゼルは、側板部６０をパネルシャーシ８の延長部８０の外側に被せてある。また、パネルシャーシ８の突出部８１の液晶パネル１側の一面には光学シート４が配されている。
【００５０】
以上の如く構成された表示装置において各ＬＥＤ７２から出射された光は、導光板７１の一側面から入射し、反射シート７３での反射と導光板７１の一面での反射とを繰り返して導光板７１内部を進行し、一面全体に分布して出射する。導光板７１から出射した光は、光学シート４によって拡散及び集束され、液晶パネル１の他面に照射される。液晶パネル１は、入射光を変調して透過し、一面に画像を表示する。
【００５１】
ここで、各ＬＥＤ７２の出射光の一部が、パネルシャーシ８を透過して液晶パネル１に向かって進行する場合がある。液晶パネル１の他面の周縁部は、遮光体５で覆われており、光は、遮光体５又は遮光帯１１により遮断される。
【００５２】
上記の構成によれば、遮光体５が液晶パネル１の他面の遮光帯１１よりも外側部分を含めて覆うので、遮光帯１１の外側部分にてバックライト装置７からの光が透過せず、表示装置における光漏れを抑制できる。これにより、表示装置の表示品質が保たれる。
【００５３】
更に、遮光体５は、パネルシャーシ８の延長部８０に固定されているので、温度変化に伴う収縮膨張の影響により遮光体５が移動し、液晶パネル１の表示領域にはみ出すことを抑制できる。また、遮光体５を、弾性部材で形成することにより、液晶パネル１を振動又は衝撃等から守るスペーサとして機能させることができる。
【００５４】
今回開示された実施の形態はすべての点で例示であって、制限的なものではないと考えられるべきである。本発明の範囲は、上記した意味ではなく、請求の範囲によって示され、請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００５５】
１  液晶パネル（表示パネル）
３、８  パネルシャーシ（支持枠）
５  遮光体
３０、８０  延長部
３２  係止爪
５０  固定部
５０ａ  係止孔
【手続補正２】
【補正対象書類名】特許請求の範囲
【補正対象項目名】全文
【補正方法】変更
【補正の内容】
【特許請求の範囲】
【請求項１】
画像を表示する表示領域と、前記表示領域を包囲する遮光領域と、前記遮光領域の外側に位置する外側領域とを有する表示パネルと、
前記表示パネルの背面側に配置された支持枠であって、
前記表示パネルの周縁部を背面側から支持するパネル支持部と、
前記パネル支持部から前記表示パネルと反対側に延びる延長部と
を有する、支持枠と、
前記表示パネルの背面側に配置された遮光体であって、
前記表示パネルと前記支持枠との間に配置され、前記表示パネルの法線方向から見たとき、前記表示パネルの前記遮光領域の少なくとも一部および前記外側領域と重なるように延びる遮光部と、
前記遮光部から前記表示パネルと反対側に延び、前記支持枠の前記延長部に固定された固定部と
を有する、遮光体と
を備え、
前記遮光体の前記固定部は、少なくとも１つの孔を有しており、
前記支持枠の前記延長部は、前記少なくとも１つの孔に挿入されることにより前記固定部を前記延長部に対して所定の位置に固定可能な少なくとも１つのフック部を有している、表示装置。
【請求項２】
画像を表示する表示領域と、前記表示領域を包囲する遮光領域と、前記遮光領域の外側に位置する外側領域とを有する表示パネルと、
前記表示パネルの背面側に配置されたバックライト部と、
前記バックライト部と前記表示パネルとの間に、前記表示パネルの法線方向から見たとき、前記表示パネルの少なくとも前記表示領域と重なるように配置された光学シートと、
前記表示パネルの背面側に配置された支持枠であって、
前記表示パネルの周縁部を背面側から支持するパネル支持部と、
前記支持枠から内側に突出し、前記光学シートの周縁部を背面側から支持するシート支持部と、
前記パネル支持部から前記表示パネルと反対側に延びる延長部と
を有する、支持枠と、
前記表示パネルの背面側に配置された遮光体であって、
前記表示パネルと前記支持枠および前記光学シートとの間に配置され、前記表示パネルの法線方向から見たとき、前記表示パネルの前記遮光領域の少なくとも一部および前記外側領域と重なるように延びる遮光部と、
前記遮光部から前記表示パネルと反対側に延び、前記支持枠の前記延長部に固定された固定部と
を有する、遮光体と
を備え、
前記光学シートは、前記支持枠の前記パネル支持部から間隙を空けて配置されており、前記表示パネルの法線方向から見たとき、前記間隙は前記遮光部と重なっている、表示装置。
【請求項３】
前記固定部は、前記延長部に接着されている、請求項２に記載の表示装置。
【請求項４】
前記遮光体は弾性部材で形成されている、請求項２または３に記載の表示装置。
【請求項５】
前記遮光体の前記固定部は、少なくとも１つの孔を有しており、
前記支持枠の前記延長部は、前記少なくとも１つの孔に挿入されることにより前記固定部を前記延長部に対して所定の位置に固定可能な少なくとも１つのフック部を有している、請求項２に記載の表示装置。
【請求項６】
前記バックライト部と前記光学シートとの間に配置された拡散板をさらに備え、
前記支持枠の前記シート支持部は、前記拡散板と前記光学シートとの間に位置する、請求項２から５のいずれかに記載の表示装置。
【請求項７】
前記バックライト部は、導光板と、前記導光板の側面に光を入射する光源とを含むエッジライト型バックライト部であり、
前記遮光体は、前記表示パネルの法線方向から見たとき、前記光源の全体と重なるように配置されている、請求項２から５のいずれかに記載の表示装置。
【請求項８】
前記固定部は、周方向に間隔を空けて配置された複数の部分を含む、請求項１から７のいずれかに記載の表示装置。
【請求項９】
前記遮光体は黒色である、請求項１から８のいずれかに記載の表示装置。
【国際調査報告】
2017002220.tif 000008
2017002220.tif 000009
2017002220.tif 000010
2017002220.tif 000011